(57)【要約】  【課題】  大型化やコスト増大することなくモータの発熱による故障を防止できるドラム式洗濯機を提供する。  【解決手段】  前面を開口して横設される有底筒状の水槽４と、水槽４に内装して水槽４の底面から突出する主軸９５と一体の回転ドラム５と、主軸９５を支持する軸受５１、５２と、主軸９５に一体のロータ９２と、ロータ９２に対峙するステータ９３と、軸受５１、５２及びステータ９３を保持して水槽４に取り付けられるとともにステータ９３及びロータ９２を覆って周面に開口部８９ａを有する軸受保持カバー８９とを備え、放射状に配される複数の羽根７４をロータ９２に設けた。【選択図】      図１３
2006000358.tif 000002
【特許請求の範囲】
【請求項１】
横設される有底筒状の水槽と、前記水槽に内装して前記水槽の底面から突出する主軸と一体の回転ドラムと、前記主軸を支持する軸受と、前記主軸に一体のロータと、前記ロータに対して径方向に対峙するステータと、前記軸受及び前記ステータを保持して前記水槽に取り付けられるとともに前記ステータ及び前記ロータを覆って周面に開口部を有する軸受保持カバーとを備えたことを特徴とするドラム式洗濯機。
【請求項２】
横設される有底筒状の水槽と、前記水槽に内装して前記水槽の底面から突出する主軸と一体の回転ドラムと、前記主軸を支持する軸受と、前記主軸に一体のロータと、前記ロータに対して径方向に対峙するステータと、前記軸受及び前記ステータを保持して前記水槽に取り付けられるとともに前記ステータ及び前記ロータを覆う軸受保持カバーとを備え、前記軸受保持カバーの内外を連通させる気流経路を設けたことを特徴とするドラム式洗濯機。
【請求項３】
前記軸受保持カバーは軸方向に分割した前カバー及び後カバーを有し、前記前カバーと前記後カバーとの間にスペーサを配したことを特徴とする請求項１または請求項２に記載のドラム式洗濯機。
【請求項４】
前記軸受を複数設け、前記前カバー及び前記後カバーがそれぞれ前記軸受を保持することを特徴とする請求項３に記載のドラム式洗濯機。
【請求項５】
前記スペーサを径方向外側に延伸して前記後カバーの前端よりも前記水槽から離れて配される取っ手を設けたことを特徴とする請求項３または請求項４に記載のドラム式洗濯機。
【請求項６】
前記ロータの回転により内周から外周に向けて気流を発生させる羽根を前記ロータに設けたことを特徴とする請求項１〜請求項５のいずれかに記載のドラム式洗濯機。
【請求項７】
前記羽根を前記ロータの両面に設けたことを特徴とする請求項６に記載のドラム式洗濯機。
【請求項８】
前記軸受保持カバーは前記羽根の内周側に外部と連通する孔部を有することを特徴とする請求項６または請求項７に記載のドラム式洗濯機。
【請求項９】
前記ロータは前記羽根の内周側に貫通孔を有することを特徴とする請求項６〜請求項８のいずれかに記載のドラム式洗濯機。
【発明の詳細な説明】
【技術分野】
【０００１】
本発明は、横設される回転ドラムを有するドラム式洗濯機に関する。
【背景技術】
【０００２】
略水平な軸を中心に回転する横型の回転ドラムを備えたドラム式洗濯機は、特にヨーロッパにおいて広く使用されている。ドラム式洗濯機は一般に、回転ドラムを低速で回転させる洗い工程、すすぎ工程と、高速で回転させる脱水工程から成る洗濯作業を行い、更に、乾燥工程を行うものが商品化されている。
【０００３】
従来のドラム式洗濯機は特許文献１に開示されている。このドラム式洗濯機は前面が開口する有底筒状の水槽が横設され、前面を開口した横型の回転ドラムが水槽内に配置される。回転ドラムは水槽の底面から突出する主軸と一体になっており、水槽の底面に配される駆動部により主軸を回転駆動して回転ドラムが回転する。
【０００４】
図１４は駆動部を示す側面断面図である。ボルト３０により回転ドラム５の底面に取り付けられる主軸９５はオイルシール３１によりシールされて水槽４の底面から突出する。駆動部９はモータ９４及びモータ９４を覆う軸受保持カバー８９を有し、軸受保持カバー８９をボルト（不図示）で水槽４の底面に締結して駆動部９が固定されている。
【０００５】
軸受保持カバー８９は回転ドラム５の軸方向に分割される前カバー９０及び後カバー９１を有している。前カバー９０と後カバー９１とはボルト８８により締結されている。前カバー９０及び後カバー９１は中央に主軸９５を挿通する挿通部９０a、９１ａを有し、挿通部９０a、９１ａの周囲に軸受５１、５２を保持する保持部９０ｂ、９１ｂが設けられる。軸受５１、５２は内輪が主軸９５に嵌合し、外輪が保持部９０ｂ、９１ｂに嵌合する。これにより、主軸９５及び回転ドラム５が回転自在に支持される。
【０００６】
モータ９４は径方向に対峙するロータ９２及びステータ９３から成っている。ロータ９２は複数の永久磁石を有し、軸受５１、５２の間の主軸９５に固定されている。ステータ９３は永久磁石に対峙して巻線を巻設した電磁石を有し、前カバー９０にボルト（不図示）により固定されている。ステータ９３に通電すると電磁力によってロータ９２が回転する。これにより、回転ドラム５が回転駆動される。
【０００７】
ステータ９３に巻設される巻線は通電により発熱する。この時、巻線が過熱されると被覆を損傷して絶縁不良が発生し、ドラム式洗濯機の故障の原因となる。このため、絶縁特性（耐温度特性）の高い巻線を巻設したモータ９４が使用されている。また、磁気特性の高い永久磁石をロータ９２に設けることや、ステータ９３の巻線の密度を増加させることによって少ない電流で必要なトルクを得て発熱を抑制する場合もある。
【０００８】
【特許文献１】特開２００１−１７０３８９号公報（第４頁−第９頁、第２図）
【発明の開示】
【発明が解決しようとする課題】
【０００９】
しかしながら、上記従来のドラム式洗濯機によると、耐温度特性の高い巻線を巻設したモータ９４は高価であるためドラム式洗濯機のコストが増大する問題があった。また、磁気特性の高い永久磁石の使用や巻線の密度の増加はモータ９４が高価になる。また、ロータコア及びステータコアの積層厚みを増したり、ロータ及びステータの径を大きくするとモータ９４が大型になる。このため、ドラム式洗濯機がコスト増大に加えて大型になる問題があった。
【００１０】
本発明は、大型化やコスト増大することなくモータの発熱による故障を防止できるドラム式洗濯機を提供することを目的とする。
【課題を解決するための手段】
【００１１】
上記目的を達成するために本発明は、横設される有底筒状の水槽と、前記水槽に内装して前記水槽の底面から突出する主軸と一体の回転ドラムと、前記主軸を支持する軸受と、前記主軸に一体のロータと、前記ロータに対して径方向に対峙するステータと、前記軸受及び前記ステータを保持して前記水槽に取り付けられるとともに前記ステータ及び前記ロータを覆って周面に開口部を有する軸受保持カバーとを備えたことを特徴としている。
【００１２】
この構成によると、横設される水槽の底面には主軸と一体のロータとロータに対峙するステータにより構成されたモータが配置される。ロータ及びステータは軸受保持カバーにより覆われ、軸受保持カバーにより保持される軸受により主軸が回転自在に支持される。モータのステータに通電するとロータと一体の主軸及び回転ドラムが回転する。この時、軸受保持カバー内の空気はロータの回転による遠心力によって外周方向に押し出され、ステータの巻線を冷却して周面に設けた開口部から排気される。
【００１３】
また本発明は、横設される有底筒状の水槽と、前記水槽に内装して前記水槽の底面から突出する主軸と一体の回転ドラムと、前記主軸を支持する軸受と、前記主軸に一体のロータと、前記ロータに対して径方向に対峙するステータと、前記軸受及び前記ステータを保持して前記水槽に取り付けられるとともに前記ステータ及び前記ロータを覆う軸受保持カバーとを備え、前記軸受保持カバーの内外を連通させる気流経路を設けたことを特徴としている。
【００１４】
この構成によると、横設される水槽の底面には主軸と一体のロータとロータに対峙するステータにより構成されたモータが配置される。ロータ及びステータは軸受保持カバーにより覆われ、軸受保持カバーにより保持される軸受により主軸が回転自在に支持される。モータのステータに通電するとロータと一体の主軸及び回転ドラムが回転する。この時、軸受保持カバー内の空気は気流経路を介して吸排気される。
【００１５】
また本発明は、上記構成のドラム式洗濯機において、前記軸受保持カバーは軸方向に分割した前カバー及び後カバーを有し、前記前カバーと前記後カバーとの間にスペーサを配したことを特徴としている。この構成によると、前カバーと後カバーがスペーサを挟んで一体化され、スペーサのない部分に空隙から成る開口部が形成される。環状のスペーサに開口部を形成してもよい。
【００１６】
また本発明は、上記構成のドラム式洗濯機において、前記軸受を複数設け、前記前カバー及び前記後カバーがそれぞれ前記軸受を保持することを特徴としている。この構成によると、前方の軸受が前カバーにより保持され、後方の軸受が後カバーにより保持される。
【００１７】
また本発明は、上記構成のドラム式洗濯機において、前記スペーサを径方向外側に延伸して前記後カバーの前端よりも前記水槽から離れて配される取っ手を設けたことを特徴としている。この構成によると、スペーサから外側に延びた取っ手を把持して軸受保持カバーを水槽に取り付けることが可能になる。
【００１８】
また本発明は、上記構成のドラム式洗濯機において、前記ロータの回転により内周から外周に向けて気流を発生させる羽根を前記ロータに設けたことを特徴としている。この構成によると、ロータが回転すると羽根によって軸受保持カバー内の内周側の空気が外周側に押し出される。
【００１９】
また本発明は、上記構成のドラム式洗濯機において、前記羽根を前記ロータの両面に設けたことを特徴としている。
【００２０】
また本発明は、上記構成のドラム式洗濯機において、前記軸受保持カバーは前記羽根の内周側に外部と連通する孔部を有することを特徴としている。この構成によると、ロータの回転により孔部から軸受保持カバー内に流入した外気が開口部から排気される。
【００２１】
また本発明は、上記構成のドラム式洗濯機において、前記ロータは前記羽根の内周側に貫通孔を有することを特徴としている。この構成によると、貫通孔を介してロータの水槽に近い側に空気が流入して外周方向に押し出される。
【発明の効果】
【００２２】
本発明によると、軸受保持カバーの周面に開口部を設けたので、ロータの回転により軸受保持カバー内の内周側から外周側に流れる気流が発生する。これにより、ステータの巻線を容易に冷却して、モータの大型化やコスト増大することなくモータの発熱による故障を防止することができる。
【００２３】
また本発明によると、前カバーと後カバーとの間にスペーサを配したので、開口部を容易に形成することができる。また、スペーサの厚みを可変することによりドラム式洗濯機の機種に応じて容易に軸受保持カバーの厚みを可変することができ、前カバー及び後カバーの共通化を図ることができる。
【００２４】
また本発明によると、前カバー及び後カバーがそれぞれ軸受を保持するので、スペーサの厚みを可変することによりドラム式洗濯機の機種に応じて容易に軸受間隔を可変して大型の回転ドラムを支持することができる。
【００２５】
また本発明によると、スペーサを径方向外側に延伸して開口部よりも水槽から離れて配される取っ手を設けたので、軸受保持カバーと水槽との間に手指を挟むことなく取っ手を把持して軸受保持カバーの取付け作業を容易に行うことができる。
【００２６】
また本発明によると、ロータの回転により内周から外周に向けて気流を発生させる羽根をロータに設けたので、軸受保持カバー内に外周に向けてより多くの気流を発生してステータをより冷却することができる。
【００２７】
また本発明によると、羽根をロータの両面に設けたので、ステータの両面により多くの気流が接触し、ステータをより冷却することができる。
【００２８】
また本発明によると、軸受保持カバーは羽根の内周側に外部と連通する孔部を有するので、外気を容易に取り込んでステータをより冷却することができる。
【００２９】
また本発明によると、ロータは羽根の内周側に貫通孔を有するので、ステータの両面をより冷却することができる。
【発明を実施するための最良の形態】
【００３０】
以下に本発明の実施形態を図面を参照して説明する。説明の便宜上、前述の従来例を示す図１４と同一の部分には同一の符号を付している。図１は第１実施形態のドラム式洗濯機を示す外観斜視図である。ドラム式洗濯機１は外壁を形成する外箱２を有している。外箱２は前面がドア３で開閉でき、外箱２の前面上部には操作キーや表示部を備えた操作パネル１１が設けられている。操作パネル１１の裏面にはドラム式洗濯機１の動作を制御する制御装置６（図２参照）が配されている。
【００３１】
図２はドラム式洗濯機１の側面断面図を示している。外箱２内は前面に開口部４ａを有する有底筒状の水槽４が横設されている。水槽４内には有底筒状の回転ドラム５が配されている。回転ドラム５の周壁全体には小孔５ａが設けられている。小孔５ａにより洗濯時に水槽４と回転ドラム５との間を洗濯水が流出入できるようになっている。回転ドラム５の内壁面にはバッフル５ｂが突出して設けられる。回転ドラム５の回転によりバッフル５ｂが洗濯物を引っかけて持上げ、洗濯液中に落下させることにより洗浄が行われるようになっている。
【００３２】
回転ドラム５の前面の開口部５ｃの外周縁には流体バランサー５ｄが設けられている。流体バランサー５ｄは塩水等の流体が封入されており、回転ドラム５の回転時に該流体が移動して洗濯物及び洗濯液の片寄りによる重心移動を打消すようになっている。
【００３３】
水槽４の底面には回転ドラム５を回転駆動する駆動部９が配置され、回転ドラム５の底面で主軸９５を連結したダイレクトドライブ方式になっている。回転ドラム５の回転軸心ｙ−ｙは、水平方向に対して角度θだけ回転ドラム５の奥が下がるように傾斜している。これにより、使用者がドラム式洗濯機の前面側に立って操作する際に見下ろして回転ドラム５の奥まで見通しが良くなるようにしている。
【００３４】
ドア３の開成により開口する洗濯物投入口の周縁と水槽４の開口部４ａの周縁との間にはドアパッキン１０が取り付けられている。ドアパッキン１０はゴム等の弾性体から成り、洗濯物を出し入れする通路を形成する。ドア３を閉じたときにドアパッキン１０の内周縁１０ａがドア３の突出部に密着して通路を閉口する構造となっている。これにより、洗濯動作中の防水が行われる。
【００３５】
外箱２内の上部後方には家庭の水道の蛇口に接続される給水弁１３が設けられる。給水弁１３の出口側には接続ホース１２の一端が接続され、接続ホース１２の他端には内部が２段に形成された注水ケース１４が接続されている。注水ケース１４の上段は水道水が給水されるとともに底面に散水孔が多数設けられる。注水ケース１４の下段は前方より引出し可能な洗剤ケース（不図示）が収納されている。
【００３６】
注水ケース１４の底部には給水ダクト１５の一端が接続され、給水ダクト１５の他端は水槽４の給水口４ｂに接続されている。これにより、注水ケース１４の上段の散水孔から下段に供給した水により洗剤ケース内の洗剤を溶解して水槽４内に供給するようになっている。また、すすぎ時には注水ケース１４内の通路が切り替えられ、水道水が直接給水ダクト１５を介して水槽４内に供給される。
【００３７】
水槽４の下方にはフレキシブルな排水ホース１９が導出されている。排水ホース１９には排水弁モータ１８によって開閉される排水弁２０が設けられる。排水弁モータ１８を駆動して排水弁２０を開放することによって水槽４内の水が排水ホース１９を通して外部に排水されるようになっている。
【００３８】
図３はドラム式洗濯機１の正面図を示している。水槽４の下面にはサスペンション８が取り付けられている。サスペンション８は水槽４に一体化される回転ドラム５や駆動部９等を含む振動体４０の重心付近の下方に配置され、振動体４０を左右で弾性的に支持する構造になっている。
【００３９】
図４、図５は図２のＡ部を拡大した駆動部９の側面断面図及び背面図を示している。尚、図４は図５のＢＯＢ’断面になっている。回転ドラム５と同軸に配される主軸９５の先端にはシャフトフランジ９５ｂが同軸に圧入されている。シャフトフランジ９５ｂは厚板鋼板やアルミダイカストから成るドラムフランジ５ｅを挟んでボルト３０により回転ドラム５の底面に締結されている。これにより、主軸９５が回転ドラム５に一体化されている。
【００４０】
主軸９５は水槽４の底面から突出し、オイルシール３１により水槽４の漏水が防止されている。駆動部９はモータ９４及びモータ９４を覆う軸受保持カバー８９を有し、軸受保持カバー８９をボルト９８で水槽４の底面に締結して駆動部９が固定されている。尚、オイルシール３１は軸受保持カバー８９に取付けられている。
【００４１】
軸受保持カバー８９は回転ドラム５の軸方向に分割される前カバー９０及び後カバー９１を有している。前カバー９０と後カバー９１とはスペーサ９６を挟んでボルト８８により締結されている。スペーサ９６は軸受保持カバー８９の周囲の複数の位置に設けられ、各スペーサ９６間に開口部８９ａが形成されている。スペーサ８６を環状に形成してスペーサ８６の周面に開口部を設けてもよい。また、後カバー９１には後述する羽根７４よりも内周側に孔部９１ｃが設けられている。これにより外気を容易に取り込めるようになっている。
【００４２】
前カバー９０及び後カバー９１は中央に主軸９５を挿通する挿通部９０a、９１ａを有し、挿通部９０a、９１ａの周囲に軸受５１、５２を保持する保持部９０ｂ、９１ｂが設けられる。軸受５１、５２は内輪が主軸９５に嵌合し、外輪が保持部９０ｂ、９１ｂに嵌合する。これにより、主軸９５及び回転ドラム５が回転自在に支持される。
【００４３】
モータ９４は径方向に対峙して同軸に配されるロータ９２及びステータ９３から成っている。図６はロータ９２の平面図を示している。ロータ９２は不飽和ポリエステル等の非磁性材料から成るモールドレジン７１の周囲にロータコア７２及び永久磁石７３がインサート成形により固着されている。
【００４４】
モールドレジン７１には放射状に配される複数の羽根７４が軸方向に突設されている。羽根７４を１２枚設けているが他の枚数にしてもよい。また、軸受５１、５２の間の主軸９５にセレーションにより形成した回り止め部９５ａ（図４参照）にモールドレジン７１をインサート成形してロータ９２が主軸９５に固着されている。
【００４５】
ロータコア７２は鋼板を積層して形成されている。ロータコア７２の周縁には複数の突極７２Ｎ、７２Ｓが設けられている。永久磁石７３はＮ極７３Ｎ及びＳ極７３Ｓを有し、Ｎ極７３Ｎにより突極７２Ｎを挟むとともに、Ｓ極７３Ｓにより突極７２Ｓを挟むように配置される。これにより、突極７２Ｎ、７２ＳがそれぞれＮ極及びＳ極の磁性を帯びる。尚、モータ９４は突極７２Ｎ、７２Ｓを２０個有した２０極になっているが他の極数でもよい。
【００４６】
図７はステータ９３の平面図を示している。ステータ９３は鋼板を積層したステータコア８１の周部に巻線８２が集中巻方式で巻設されている。ステータ９３にはホールセンサ８３が設けられており、ロータコア７２の突極７２Ｎ、７２ＳのＮ極とＳ極を検出することによりロータ９２の回転位置を検出する。ステータ９３には挿通孔８４ａを有するインシュレータ８４が設けられる。挿通孔８４ａに挿通されるボルト９４（図９参照）によりステータ９３が前カバー９０に固定されている。尚、本実施形態ではモータ９４として３相２０極ＤＣブラシレスモータを使用している。
【００４７】
ステータ９３の巻線８２に駆動電流が供給されると、巻線８２からギャップを隔てて対向する永久磁石７３に磁路が形成される。これにより、ロータ９２が回転し、主軸９５を介してロータ９２と同一の回転速度で回転ドラム５が回転駆動される。
【００４８】
上記構成のドラム式洗濯機１において、制御装置６の制御によっての図８に示す運転チャートが実行される。洗濯物投入口より回転ドラム５内に洗濯物を投入してドア３を閉じると、ドア３の周縁にドアパッキン１０の内周縁１０ａが密着して水槽４が封止される。注水ケース１４に洗剤を入れ、操作パネル１１を操作すると制御装置６からの指示により洗濯動作が開始される。
【００４９】
まず、「洗い工程」の給水動作では、ドア３がロックされるとともに給水弁１３が開成する。給水弁１３の開成に基づいて水道水は接続ホース１２から注水ケース１４内の洗剤ケースを経由し、洗剤とともに給水ホース１５から水槽４及び回転ドラム５内に流れ込む。そして、水槽４内の水位が所定水位に達すると給水弁１３が閉じられ、モータ９４が駆動される。モータ９４の駆動により回転ドラム５を所定の洗いチャートで回転制御して所定時間だけ洗い動作が行われる。
【００５０】
回転ドラム５の回転は、洗い、すすぎ、脱水及び乾燥工程、或いは洗濯物の種類に応じた回転速度、更には反転時間や反転周期等を変えた回転チャートが設定されている。これらの回転チャートは使用者による選択或いは自動的に選択されるようにプログラムされている。
【００５１】
「洗い工程」が終了すると、すすぎ脱水動作と攪拌すすぎ動作を交互に複数回繰り返して成る「すすぎ工程」に移行する。「すすぎ工程」では、まず、排水弁２０が排水弁モータ１８により開放されると排水ホース１９を通じて水槽４内の洗濯液が外箱２の外部に排水される。
【００５２】
排水動作が終了すると、回転ドラム５は第１の脱水チャートで回転して、すすぎ脱水動作が行われる。洗濯物の洗濯液は脱水回転による遠心力で回転ドラム５の周壁に設けた小孔５ａを通じて水槽４の内壁へ吐出される。該内壁を伝って水槽４内の下部に流下した洗濯液は排水ホース１９により外部に排水される。
【００５３】
すすぎ脱水動作が終了すると給水動作に移行し、排水弁２０を閉鎖して給水弁１３を再度開く。給水弁１３の開成に伴って水槽４内の水位が所定水位になると給水弁１３が閉じられ、モータ９４の駆動により回転ドラム５がすすぎチャートで回転し、攪拌すすぎが実行される。
【００５４】
以上のすすぎ脱水動作と攪拌すすぎ動作とを数回繰り返して「すすぎ工程」が終了すると、プログラムが「脱水工程」に切り替わる。「脱水工程」ではまず、給水弁１３を閉じるとともに排水弁２０を開放して洗濯液を外部に排水する排水動作が行われる。そして、回転ドラム５を第２の脱水チャートで回転させて仕上げ脱水動作が行われる。
【００５５】
以上のように、操作パネル１１からの入力に基づいて、制御装置２が設定された条件に従って洗い、すすぎ、脱水の各工程が連続或いは単独で実行される。
【００５６】
図９は図５のＣＯＣ’断面を示している。モータ９４による回転ドラム５の回転駆動時にはロータ９２が回転すると羽根７４により空気が旋回する。これにより、矢印Ｄ１に示すように、羽根７４の内周側に設けた孔部９１ｃから外気が軸受保持カバー８９内に取り込まれて遠心力により外周部に押し出され、開口部８９ａから排気される。この時、外部から取り込まれる低温の空気とステータ９３が接触し、巻線８２で発生した熱が放散して巻線８２が冷却される。
【００５７】
ロータ９２の水槽４側の面には羽根７４が設けられないが、空気の粘性により旋回気流が発生し、矢印Ｄ２に示すように外周部に押し出される空気によってステータ９３を冷却することができる。また、孔部９１ｃを設けない場合は軸受５１、５２のボールの間等から外気を吸気できるが、孔部９１ｃを設けることにより容易に外気を取り込むことができる。
【００５８】
本実施形態によると、軸受保持カバー８９の周面に開口部８９ａを設けることにより軸受保持カバー８９の内外を連通する気流経路が形成されるので、ロータ９２の回転により軸受保持カバー８９内の空気が外周方向に押し出されてステータ９３の巻線８２を冷却することができる。従って、モータ９４の大型化やコスト増大することなくモータ９４の発熱による故障を防止することができる。
【００５９】
尚、軸受保持カバー８９の周面以外の位置に開口部を設けて軸受保持カバー８９の内外を連通する気流経路を形成してもよい。しかし、ロータ９２の回転による遠心力によって空気が外周方向に導かれるため、開口部を周面に設けると圧力損失をより小さくすることができる。
【００６０】
開口部８９ａは前カバー９０または後カバー９１に設けた穴により形成してもよい。しかし、本実施形態のように前カバー９０と後カバー９１との間にスペーサ８６を配すると、開口部８９ａを容易に形成することができる。更に、スペーサ８６の厚みを可変することによりドラム式洗濯機１の機種に応じて容易に軸受保持カバー８９の厚みを可変することができ、前カバー９０及び後カバー９１の共通化を図ることができる。
【００６１】
また、前カバー９０及び後カバー９１がそれぞれ軸受５１、５２を保持するので、スペーサ８６の厚みを可変することによりドラム式洗濯機１の機種に応じて容易に軸受間隔を可変できる。これにより、軸受５１、５２を大型にすることなく大型の回転ドラム５を支持することができる。
【００６２】
次に、図１０、図１１は第２実施形態のドラム式洗濯機の駆動部を示す側面断面図及び背面図である。図１０は図１１のＥＯＥ’断面を示している。説明の便宜上、前述の図１〜図９に示す第１実施形態と同一の部分は同一の符号を付している。本実施形態は第１実施形態に対してスペーサ９６の形状が異なるとともに、ロータ９２の構成が異なっている。その他の部分は第１実施形態と同様である。
【００６３】
前カバー９０と後カバー９１との間に配される複数のスペーサ８６の一部は周縁から後方に延びて径方向外側に屈曲した取っ手９９が一体に形成されている。これにより、取っ手９９は開口部８９ａ（図１３参照）よりも水槽４から離れて配される。従って、軸受保持カバー８９と水槽４との間に手指を挟むことなく取っ手９９を把持して駆動部９の取付け作業を容易に行うことができるようになっている。
【００６４】
ロータ９２のモールドレジン７１（図１２参照）には前面側と背面側とに第１実施形態と同様の放射状の羽根７４が突設されている。また、図１２のロータ９２の平面図に示すように、モールドレジン７１には羽根７４の内周側に複数の貫通孔７１ａが形成されている。
【００６５】
図１３は図１１のＦＯＦ’断面を示している。モータ９４による回転ドラム５の回転駆動時にはロータ９２が回転すると羽根７４により空気が旋回する。これにより、矢印Ｄ１に示すように、羽根７４の内周側に設けた孔部９１ｃから外気が軸受保持カバー８９内に取り込まれて遠心力により外周部に押し出され、開口部８９ａから排気される。この時、外部から取り込まれる低温の空気とステータ９３が接触し、巻線８２で発生した熱が放散して巻線８２が冷却される。
【００６６】
また、モールドレジン７１に設けた貫通孔７１ａを介してロータ９２の水槽４側に空気が流入する。これにより、前面側の羽根７４の回転によってロータ９２の水槽４側の空気が外周方向に押し出され、矢印Ｄ２に示すように開口部８９ａから排気される。従って、ステータ９３の巻線８２の両面がより多くの空気と接触して巻線８２の冷却効果をより向上させることができる。
【産業上の利用可能性】
【００６７】
本発明は、回転ドラムが横設されるドラム式洗濯機に利用することができ、特に、ダイレクトドライブ方式のドラム式洗濯機に好適である。
【図面の簡単な説明】
【００６８】
【図１】本発明の第１実施形態のドラム式洗濯機を示す外観斜視図
【図２】本発明の第１実施形態のドラム式洗濯機を示す側面断面図
【図３】本発明の第１実施形態のドラム式洗濯機を示す正面図
【図４】本発明の第１実施形態のドラム式洗濯機の駆動部を示す側面断面図
【図５】本発明の第１実施形態のドラム式洗濯機の駆動部を示す背面図
【図６】本発明の第１実施形態のドラム式洗濯機のロータを示す平面図
【図７】本発明の第１実施形態のドラム式洗濯機のステータを示す平面図
【図８】本発明の第１実施形態のドラム式洗濯機の洗濯動作を示すチャート図
【図９】図５のＣＯＣ’断面図
【図１０】本発明の第２実施形態のドラム式洗濯機の駆動部を示す側面断面図
【図１１】本発明の第２実施形態のドラム式洗濯機の駆動部を示す背面図
【図１２】本発明の第２実施形態のドラム式洗濯機のロータを示す平面図
【図１３】図１１のＦＯＦ’断面図
【図１４】従来のドラム式洗濯機の駆動部を示す側面断面図
【符号の説明】
【００６９】
１    ドラム式洗濯機
２    外箱
３    ドア
４    水槽
５    回転ドラム
８    サスペンション
９    駆動部
１３    給水弁
１４    注水ケース
１８    排水弁モータ
２０    排水弁
４０    振動体
５１、５２  軸受
７１    モールドレジン
７１ａ  貫通孔
７２    ロータコア
７３    永久磁石
７４    羽根
８１    ステータコア
８２    巻線
８３    ホールセンサ
８４    インシュレータ
８９    軸受保持カバー
８９ａ  開口部
９０    前カバー
９１    後カバー
９１ｃ  孔部
９２    ロータ
９３    ステータ
９４    モータ
９６    スペーサ
９９    取っ手
【図１】
2006000358.tif 000003
【図２】
2006000358.tif 000004
【図３】
2006000358.tif 000005
【図４】
2006000358.tif 000006
【図５】
2006000358.tif 000007
【図６】
2006000358.tif 000008
【図７】
2006000358.tif 000009
【図８】
2006000358.tif 000010
【図９】
2006000358.tif 000011
【図１０】
2006000358.tif 000012
【図１１】
2006000358.tif 000013
【図１２】
2006000358.tif 000014
【図１３】
2006000358.tif 000015
【図１４】
2006000358.tif 000016